(57)【要約】【課題】脚を挿入すると暖かい空気が長時間保温され、且前記暖かい空気が逃げることのない二重靴下を提供する。【解決手段】つま先部１と足挿入部２と脚挿入部３とからなる内側靴下体ａと、つま先部４と足挿入部５と足挿入部６とからなる外側靴下体２とを、前記内側靴下体ａの脚挿入部３と前記外側靴下体ｂの脚挿入部６とを接続糸７を介して接続せしめる靴下編地体Ａにおいて、前記内側靴下体ａと前記外側靴下体ｂの夫々のつま先部１、４と足挿入部２、５と脚挿入部３、６の夫々の内側面８、９にパイル８ａ、９ａを施して靴下編地体Ａを編成し、前記内側靴下体ａと前記外側靴下体ｂとを重ね合わせて前記内側靴下体ａのつま先部１と前記外側靴下体ｂのつま先部１、４とを縫合し形成する。【選択図】       図１
2010138532.tif 000002
【特許請求の範囲】
【請求項１】
つま先部と足挿入部と脚挿入部とからなる内側靴下体と、つま先部と足挿入部と足挿入部とからなる外側靴下体とを、前記内側靴下体の脚挿入部と前記外側靴下体の脚挿入部とを接続糸を介して接続せしめる靴下編地体において、
前記内側靴下体と前記外側靴下体の夫々のつま先部と足挿入部と脚挿入部の夫々の内側面にパイルを施して靴下編地体を編成し、前記内側靴下体と前記外側靴下体とを重ね合わせて前記内側靴下体のつま先部と前記外側靴下体のつま先部とを縫合し形成することを特徴とする二重靴下。
【請求項２】
前記外側靴下体の内側面に編成のパイルの部位を、前記内側靴下体の内側面にして開口部寄りのパイルの部位よりも長く編成せしめパイルの部位の一部が対向しない状態とすることを特徴とする請求項１に記載の二重靴下。
【請求項３】
前記内側靴下体の内側面に編成のパイルの部位を、前記外側靴下体の内側面にして開口部寄りのパイルの部位よりも短く編成せしめパイルの部位の一部が対向しない状態とすることを特徴とする請求項１又は同２に記載の二重靴下。
【請求項４】
前記内側靴下体と前記外側靴下体の中、何れか一方の靴下体のつま先部と足挿入部と脚挿入部の内側面にパイルを施して靴下編地体を編成し、前記内側靴下体と前記外側靴下体とを重ね合わせて前記内側靴下体のつま先部と前記外側靴下体のつま先部とを縫合し形成することを特徴とする請求項１に記載の二重靴下。
【請求項５】
前記外側靴下体の内側面にのみパイルを施したことを特徴とする請求項１又は同４に記載の二重靴下。
【請求項６】
前記内側靴下体の内側面にのみパイルを施したことを特徴とする請求項１又は同４に記載の二重靴下。
【発明の詳細な説明】
【技術分野】
【０００１】
本発明は、つま先部と足挿入部と脚挿入部とからなる内側靴下体と、つま先部と足挿入部と足挿入部とからなる外側靴下体の内側面にパイルを施して靴下編地体を編成し、両側靴下体を折り返し形成する二重靴下の分野に関するものである。
【背景技術】
【０００２】
従来二重靴下として、口ゴム部で連なる筒形編地から内筒体と外筒体とを形成し、重なり合う前記両筒体をつま先部で縫合一体化したものがあり、さらに綿糸を主体とし、ナイロン等の合成繊維糸及びスパンデックス等の弾性糸を合せた編糸を用い、所望の編目組織・柄模様を自由に編成することができるエレクトロニクス制御の丸編靴下編機から編み立てられ、口ゴム部１ａ、１ｂで連なる一個の筒形編地Ａから内筒体２と外筒体３がつま先部４ａ、４ｂの横一文字状縫合線５で縫合一体化されたものがある。そして前記内筒体２には、つま先部４ａ、足底面６ａ及びかかと部７ａのニット裏目に所要高さの内面パイル８が密生されており、この内面パイル８は、重なり合った両筒体の間に封入された状態になる。と提案されているものがある（例えば、下記文献１参照）。
【特許文献１】特開２００１−５５６０５公開特許公報
【発明の開示】
【発明が解決しようとする課題】
【０００３】
しかしながら、前記従来の構成では、前記内筒筒体のつま先部４ａ、足底面６ａ及びかかと部７ａのニット裏面に所要高さの内面パイル８を密生されているだけで、前記内面パイル８の密生する部位は限定されている。そのため、口ゴム部で連なる筒形編地から内筒体と外筒体とを形成し、重なり合う前記内外両筒体をつま先部で縫合一体化した全面二重地で薄地であっても保温性が高く、内側パイルが起立するニット裏目が両二重地の間に対面封入されているため、耐久性があって履き心地がよいとされていても、前期内外両筒体内の暖い空気が逃げやすいという課題を有していた。
【０００４】
さらに、前記従来の構成では、前記内側靴下体の間の暖かい空気が前記内筒部の内側面に編成されている内面パイルにだけ溜るため、内外両筒体が二重地であっても暖かい空気量を十分に溜めにくいという課題を有している。
【０００５】
また、前記従来の構成では、内面パイルの編成する部位が前記内筒体の中、つま先部、足底面及びかかと部に限定し、前記内筒体の脚部には編成されていないため、内外両筒体が二重地であっても暖かい空気が前記内外両筒体内に暖かい空気が溜りにくく脚部を十分に暖めにくいという課題を有している。
【０００６】
本発明は、前記従来の課題を解決するもので、脚を挿入すると暖かい空気が長時間保温され、且前記暖かい空気が逃げることのない二重靴下を提供することを目的とする。
【０００７】
さらに本発明は、履くと履いたら直ちに冷たい外気を遮断し脚全体を暖める即効性を有する二重靴下を提供することを目的としている。
【０００８】
また、本発明は、構造上内外両側靴下体と、前記両内外側靴下体の夫々の内面もしくは何れか一方の靴下体の内面にパイルを夫々施して複数層としたため、ボリュームをたっぷりとし廊下や台所等の底温となっている床周辺の冷たさを全く感じさせない二重靴下を提供することを目的としている。
【０００９】
さらに、本発明は、履くと接続糸周辺部分が脚部を締め付けず、ゆったりした履き心地のよい二重靴下を提供することを目的としている。
【００１０】
また、本発明は、履いた後折り返しても脚部の締め付けがなく、ゆったりし、且足首部分の保温力を著しくアップせしめる二重靴下を提供することを目的としている。
【課題を解決するための手段】
【００１１】
上記標題を解決するための手段として、請求項１に記載の発明は、つま先部１と足挿入部２と脚挿入部３とからなる内側靴下体ａと、つま先部４と足挿入部５と足挿入部６とからなる外側靴下体２とを、前記内側靴下体ａの脚挿入部３と前記外側靴下体ｂの脚挿入部６とを接続糸７を介して接続せしめる靴下編地体Ａにおいて、前記内側靴下体ａと前記外側靴下体ｂの夫々のつま先部１、４と足挿入部２、５と脚挿入部３、６の夫々の内側面８、９にパイル８ａ、９ａを施して靴下編地体Ａを編成し、前記内側靴下体ａと前記外側靴下体ｂとを重ね合わせて前記内側靴下体ａのつま先部１と前記外側靴下体ｂのつま先部１、４とを縫合し形成する二重靴下である。
【００１２】
上記標題を解決するための手段として、請求項２に記載の発明は、前記外側靴下体ｂの内側面９に編成のパイル９ａの部位１０を、前記内側靴下体ａの内側面８にして開口部１１寄りのパイル８ａの部位１０よりも長く編成せしめパイルの部位１０の一部が対向しない状態とする二重靴下である。
【００１３】
上記標題を解決するための手段として、請求項３に記載の発明は、前記内側靴下体ａの内側面８に編成のパイル８ａの部位１０を、前記外側靴下体ｂの内側面９にして開口部１４寄りのパイル９ａの部位１０よりも長く編成せしめパイルの部位１０の一部が対向しない状態とする二重靴下である。
【００１４】
上記標題を解決するための手段として、請求項４に記載の発明は、前記内側靴下体ａと前記外側靴下体ｂの中、何れか一方の靴下体のつま先部１、４と足挿入部２、５と脚挿入部３、６の内側面８、９にパイル８ａ、９ａを施して靴下編地体Ａを編成し、前記内側靴下体ａと前記外側靴下体ｂとを重ね合わせて前記内側靴下体ａのつま先部１と前記外側靴下体ｂのつま先部１、４とを縫合し形成する二重靴下である。
【００１５】
上記標題を解決するための手段として、請求項５に記載の発明は、前記外側靴下体ｂの内側面９にのみパイル９ａを施した二重靴下である。
【００１６】
上記標題を解決するための手段として、請求項６に記載の発明は、前記内側靴下体ａの内側面８にのみパイル８ａを施した二重靴下である。
【発明の効果】
【００１７】
請求項１の本発明は、つま先部と足挿入部と脚挿入部とからなる内側靴下体と、つま先部と足挿入部と足挿入部とからなる外側靴下体とを、前記内側靴下体の脚挿入部と前記外側靴下体の脚挿入部とを接続糸を介して接続せしめる靴下編地体において、前記内側靴下体と前記外側靴下体の夫々のつま先部と足挿入部と脚挿入部の夫々の内側面にパイルを施して靴下編地体を編成し、前記内側靴下体と前記外側靴下体とを重ね合わせて前記内側靴下体のつま先部と前記外側靴下体のつま先部とを縫合し形成する二重靴下なので、脚を挿入すると暖かい空気が長時間保温され、且前記暖かい空気が逃げることのない利点を有している。
【００１８】
さらに本発明は、履くと履いたら直ちに冷たい外気を遮断し脚全体を暖める即効性を発揮する利点を有している。
【００１９】
また、本発明は、構造上内外両側靴下体と、前記両内外側靴下体の夫々の内面もしくは何れか一方の靴下体の内面にパイルを夫々施して複数層としたため、ボリュームをたっぷりとし廊下や台所等の底温となっている床周辺の冷たさを全く感じさせない利点がある。
【００２０】
さらに、本発明は、履くと接続糸周辺部分が脚部を締め付けず、ゆったりした履き心地のよい利点がある。
【００２１】
また、本発明は、履いた後折り返しても脚部の締め付けがなく、ゆったりし、且足首部分の保温力を著しくアップせしめる利点を有している。
【００２２】
請求項２の本発明は、前記外側靴下体の内側面に編成のパイルの部位を、前記内側靴下体の内側面にして開口部寄りのパイルの部位よりも長く編成せしめパイルの部位の一部が対向しない状態とする二重靴下なので、前記請求項１に記載の発明と同じ効果を有している。
【００２３】
請求項３の本発明は、前記内側靴下体の内側面に編成のパイルの部位を、前記外側靴下体の内側面にして開口部寄りのパイルの部位よりも長く編成せしめパイルの部位の一部が対向しない状態とする二重靴下なので、前記請求項１又は同２に記載の発明と同じ効果を有している。
【００２４】
請求項４の発明は、前記内側靴下体と前記外側靴下体の中、何れか一方の靴下体のつま先部と足挿入部と脚挿入部の内側面にパイルを施して靴下編地体を編成し、前記内側靴下体と前記外側靴下体とを重ね合わせて前記内側靴下体のつま先部と前記外側靴下体のつま先部とを縫合し形成する二重靴下なので、前記請求項１に記載の発明と同じ効果を有している。
【００２５】
請求項５の発明は、前記外側靴下体の内側面にのみパイルを施した二重靴下なので、前記請求項１又は同４に記載の発明と同じ効果を有している。
【００２６】
請求項６の発明は、前記内側靴下体の内側面にのみパイルを施した二重靴下なので、前記請求項１又は同４に記載の発明と同じ効果を有している。
【発明を実施するための最良の形態】
【００２７】
本発明の請求項１〜６に記載の二重靴下に係る実施の形態は、共通しているので図面にもとづき以下のとおり一括して説明する。
【００２８】
Ａは本発明の二重靴下を構成する靴下編み糸を使用して編成の靴下編地体であり以下の構成からなっている。
【００２９】
この靴下編地本体Ａは、靴下用編糸を介して形成の内側靴下体ａと同編糸を介して形成の外側靴下体ｂとを従来の靴下と同じ資材の接続糸７を介して接続させて編成する。
【００３０】
さらに前記内側靴下体ａについて説明すると、この靴下体ａは、図１に図示されているように、つま先部１と足挿入部２と脚挿入部３とを順次編成する。
【００３１】
そして前記内側靴下体ａは、靴下用編糸を介して前記つま先部１と足挿入部２と脚挿入部３の夫々の内側面８にパイル８ａを施し形成する。このパイルの編み手法は従来からなされているものと同じ手法である。
【００３２】
さらに、本発明は、図１に図示しているとおり、内側靴下体ａの脚挿入部３の上方部に接続糸７を所定の長さだけ編むものである。
【００３３】
そして外側靴下体ｂを構成する脚挿入部６と足挿入部５とつま先部４とを順次編成する。
【００３４】
そして前記外側靴下体ｂの前記脚挿入部６と足挿入部５とつま先部４の夫々の内側面９にも、前記内側靴下体ａの内側面８と同様にパイル９ａを施してやる。このパイルの編み手法は従来からなされているものと同じである。
【００３５】
しかし、本発明においては、前記外側靴下体ｂの内側面９に編成のパイル９ａの部位１０の範囲を、前記内側靴下体ａの内側面８にして開口部１１寄りのパイル８ａの部位１０の範囲よりも長く編成せしめてもよい。その際には、外側靴下体ｂの内側面９に編成のパイル９ａの部位１０の一部が、前記内側靴下体ａの内側面８に編成のパイル８ａの部位１０と対向しない状態となる。
【００３６】
さらに、前記内側靴下体ａの内側面８に編成のパイル８ａの部位１０の範囲を、前記外側靴下体ｂの内側面９にして開口部１４寄りのパイルの部位１０の範囲よりも短く編成せしめてもよい。
【００３７】
その結果、前記両内外側靴下体ａ、ｂの内側面８、９に編成のパイル８ａ９ａの部位の一部が対向しない状態となる。
【００３８】
前記の構成からなる内側靴下体ａを前記外側靴下体ｂ内に挿入せしめ、両靴下体ｂ内に挿入せしめ、両靴下体ａ、ｂの踵部１２、１３とつま先部１、４を止め、重なり合う前記両内外側靴下体ａ、ｂのつま先部１、４とを一体に縫合し形成する。
【００３９】
前記のようにして重なり合った両内外側靴下体ａ、ｂは二重靴下として製品化される。
【００４０】
その結果本発明の二重靴下は、図２、３のように、両内側面８、９に編み上げられた２重層のパイル８ａ、９ａによって、暖かい空気が逃げることなく、前記２重層となっているふわふわ状態の両パイル８ａ、９ａ内に充満し、足等が挿入されて履用中の動きがあって前記両パイル等が圧迫されても前記パイル８ａ、９ａ内に溜り従来の二重靴下よりも暖かさが著しく増大する利点がある。
【００４１】
さらに本発明の二重靴下は、前記２重層のパイル８ａ、９ａと、内外両靴下体ａ、ｂを構成する外側面の編糸である保温性と吸湿発散性に優れたウール混素材等の二重層によって、四重層が形成されるので、暖かい空気が前記のように二重層のパイル８ａ、９ａと、前記両内外側靴下体ａ、ｂの夫々の外側面を形成しているウール混素材等の二重層によって、本発明の二重靴下の履用中に内部の暖かい空気が外部に発散することが殆んどなく、暖かさを従来の二重靴下より極めて暖かくすることができる利点を有している。
【００４２】
また本発明の二重靴下は、前記両内外側靴下体ａ、ｂの足挿入部３、６の両内側面８、９に編まれたパイル８ａ、９ａの長さを一方の靴下体ａが長いときは、他方の靴下体ｂのパイル９ａを短くする等、前記とは反対に一方の靴下体ａのパイル８ａを短くしたときは他方の靴下体ｂのパイル８ａを長くする。そのため片側だけがパイルになっているので、本発明の二重靴下は履用時に人体の脚部を締め付けずゆったりした履き心地を得られる利点がある。
【００４３】
さらに本発明の二重靴下は、図４のようにはロングタイプとして履用すると脚部をすっぽりと挿入し暖めることが可能である。
【００４４】
また本発明の二重靴下は、図５のように開口部１１を足首方向に折り返し履用すれば、脚部の保温力を著しくアップせしめることができる。
【００４５】
さらに、本発明の二重靴下の保温性について実験結果を図６にまとめた。
【００４６】
前記図６の内容につき説明する。
【００４７】
この実験データは、素材応用技術支援センターによって調べたものである。
【００４８】
縦には靴下を履かせた容器内の水温を表示し、横には測定時間を表示したものである。
【００４９】
この調査対象製品は、記号２０のグラフ線の本発明の二重靴下と、記号２１のグラフ線の実験としてのとにかくあったかい靴下（片側パイル）と、記号２２のグラフ線の本件出願人の製品である従来品（冬用のあったかい靴下）と、記号２３のグラフ線の本件出願人の製品の従来品（通常靴下）と、環境温度２４とを対比したものである。
【００５０】
上記本発明を含む４種類の製品の保温性についての実験結果についてその内容を説明する。
【００５１】
測定を始めてから６時間後、本発明の二重靴下は、通常の靴下（グラフ記号２３）に比べて＋６．８℃、冬用の暖かい靴下（グラフ記号２２）に比べても＋２．５℃保温性が高い結果が出た。
【００５２】
さらに本発明の二重靴下については、公的機関で、（１）保温持続性（図６）、（２）保温性、（３）熱伝導率、（４）接触冷温感のデータを取っている。
【００５３】
上記のとおり本発明の二重靴下は、他の製品に比して、最も暖かい極上のものであることが図６に図示のとおり実証された。
【００５４】
さらに前記の実施形態以外に、前記内側靴下体ａと前記外側靴下体ｂの中、何れか一方の靴下体のつま先部１、４と足挿入部２、５と脚挿入部３、６の内側面８、９にパイル８ａ、９ａを施して靴下編地体Ａを編成し、前記内側靴下体ａと前記外側靴下体ｂとを重ね合わせて前記内側靴下体ａのつま先部１と前記外側靴下体ｂのつま先部１、４とを縫合し形成することもある。
【００５５】
また前記外側靴下体ｂの内側面９にのみパイル９ａを施してもよい。
【００５６】
さらに本発明は、前記内側靴下体ａの内側面８にのみパイルを施してもよい。
【００５７】
上記のような実施形態の二重靴下の両側靴下体ａ、ｂの何れか一方の内側面８、９パイル８、９にパイル８ａ、９ａを編成しても、保温持続性、保温性、熱伝導率の点は、前記の如くパイル８ａ、９ａを両内外側靴下体ａ、ｂの内側面８、９に編成せしめた二重靴下と殆んど変らない。
【００５８】
そして前記二重靴下を履用すると、つま先部１、４と足挿入部２、５と脚挿入部３、６を平均的に保温する利点を有している。
【図面の簡単な説明】
【００５９】
【図１】本発明二重靴下の重なり合う編成時の延設状態を示す図である。
【００６０】
【図２】同靴下の一部切欠正面図である。
【００６１】
【図３】同靴下の要部の一部切欠縦断面図である。
【００６２】
【図４】同靴下の履用時の一部切欠斜視図である。
【００６３】
【図５】図４の状態から折り返した状態の一部切欠斜視図である。
【００６４】
【図６】同靴下と他製品との保温性について実験データを表示するグラフである。
【符号の説明】
【００６５】
Ａ        靴下編地本体
ａ        内側靴下体
ｂ        外側靴下体
１        つま先部
２        足挿入部
３        脚挿入部
４        つま先部
５        足挿入部
６        脚挿入部
７        接続糸
８        内側面
８ａ      パイル
９        内側面
９ａ      パイル
１０      部位
１１      開口部
１２      踵部
１３      踵部
２０      グラフ線
２１      グラフ線
２２      グラフ線
２３      グラフ線
２４      環境温度
【図１】
2010138532.tif 000003
【図２】
2010138532.tif 000004
【図３】
2010138532.tif 000005
【図４】
2010138532.tif 000006
【図５】
2010138532.tif 000007
【図６】
2010138532.tif 000008